(57)【要約】【課題】ホスト機器を限定しない温度管理可能な不揮発性半導体メモリカードの提供を目的とする。【解決手段】ホスト機器とのデータ転送を管理可能な機能を有する不揮発性半導体メモリ制御回路１０１と複数の不揮発性半導体メモリ１０２と温度検知自回路１０６を備え、不揮発性半導体メモリ制御回路１０１が検知された温度により不揮発性半導体メモリ１０２へのアクセス状態を切替え制御することにより、メモリカードの消費電力が制御可能となるので、メモリカードの温度をある一定の値以下に保つことが可能となる。【選択図】図１
2008269379.tif 000002
【特許請求の範囲】
【請求項１】
カード内に複数配置された不揮発性半導体メモリと
温度検知手段と、
検知された温度により複数配置されている不揮発性半導体メモリへのアクセス状態の切替え制御及びホスト機器とのデータ転送を管理する不揮発性半導体メモリ制御回路を有するメモリカード。
【請求項２】
カード内に複数配置された不揮発性半導体メモリと
温度検知手段と、
検知された温度により同時にアクセスを行う不揮発性半導体メモリ数の制御及びホスト機器とのデータ転送を管理する不揮発性半導体メモリ制御回路を有するメモリカード。
【請求項３】
カード内に複数配置された不揮発性半導体メモリと
温度検知手段と、
ホスト機器より設定されたデータ転送速度を確保するに必要な不揮発性半導体メモリへのアクセス状態を制御可能な不揮発性半導体メモリ制御回路と、
検知した温度状態を前記ホスト機器へ通知する手段とを有するメモリカード。
【請求項４】
請求項３記載のメモリカードにおける前記検知した温度状態を前記ホスト機器へ通知する手段より得られた温度情報により、
前記メモリカードの冷却を制御する冷却制御部と、
前記メモリカードの冷却手段とを有したホスト機器。
【請求項５】
請求項３記載のメモリカードにおける前記検知した温度状態を前記ホスト機器へ通知する手段より得られた温度情報により、
前記メモリカードの冷却を制御する冷却制御部と、
前記メモリカードの冷却手段とを有したビデオカメラレコーダ。
【請求項６】
請求項３記載のメモリカードにおける前記検知した温度状態を前記ホスト機器へ通知する手段より得られた温度情報により、
前記メモリカードの冷却を制御する冷却制御部と、
前記メモリカードの冷却手段とを有したメモリカードドライブ機器。
【請求項７】
請求項３記載のメモリカードにおける前記検知した温度状態を前記ホスト機器へ通知する手段より得られた温度情報により、
前記メモリカードの冷却を制御する冷却制御部と、
前記メモリカードの冷却手段とを有したデータレコーダ。
【発明の詳細な説明】
【技術分野】
【０００１】
本発明は、コンピュータやビデオカメラレコーダで利用される可搬性のある不揮発性メモリカードに関する。
【背景技術】
【０００２】
従来のメモリカードの温度調整は、ホストとのデータ転送の速度を調整して行っている（たとえば特許文献１参照）。図４は、前記特許文献１に記載された従来の温度管理方法を示すものである。
【０００３】
図４において、コントローラ４０２は、温度検知回路１０６でカードの温度を検知し、その結果をホストインタフェース４０１を介しホスト機器４０３へ通知し、ホスト機器４０３はメモリカード４００へのデータ転送速度を管理もしくは電源部４０４により供給電圧を制御することによりメモリカード４００の温度管理を行っていた。
【特許文献１】特開２００６−２０９５２５号公報
【発明の開示】
【発明が解決しようとする課題】
【０００４】
しかしながら、前記従来の構成では、ホスト機器がメモリカードの温度を管理するための機能を有さなければならないので、メモリカードを接続するホスト機器を限定しなければならないという課題を有していた。
【０００５】
また、温度を下げるためにホスト機器とメモリカード間のデータ転送速度を下げなければならず、必要なデータ転送速度を保証することが困難であった。
【課題を解決するための手段】
【０００６】
前記従来の課題を解決するために、本発明のメモリカードは、温度検出機能とホスト機器とメモリカード間のデータ転送を管理する機能および検出された温度により複数配置された不揮発性半導体メモリへのアクセス状態の切替え制御を行う機能を有した不揮発性半導体メモリ制御回路を有する。
【発明の効果】
【０００７】
本発明の不揮発性半導体メモリ制御回路によれば、温度管理機能を有さないホスト機器がパーソナルコンピュータなどの不特定のホスト機器に接続してもメモリカードの温度管理を行うことができ、作業者の安全確保およびメモリカードの製品破壊もしくは誤動作を防ぐことが可能となる。
【０００８】
また、ホスト機器に冷却装置を設けることによりホスト機器とメモリカード間で、一定以上のデータ転送速度を確保しながらメモリカードの温度管理が行え、作業者の安全確保およびメモリカードの製品破壊もしくは誤動作を防ぐことが可能となる。
【発明を実施するための最良の形態】
【０００９】
以下本発明を実施するための最良の形態について、図面を参照しながら説明する。
【００１０】
（実施の形態１）
図１は、本発明の実施の形態１におけるメモリカードの機能構成図である。
【００１１】
図２は、データのメモリカードの不揮発性半導体メモリ上への配置図である。
【００１２】
図１において、不揮発性半導体メモリ制御回路１０１は、ホストとのインタフェースを制御するホストインタフェース１０５と不揮発性半導体メモリ１０２を個別に管理する複数のＦｌａｓｈ−ＲＯＭ制御回路１０４とカード上の温度検知回路１０６により測定された温度により複数のＦｌａｓｈ−ＲＯＭ制御回路１０４を最適に統括管理する制御部１０３を備えている。
【００１３】
制御部１０３は、ホストからの命令を受け、ホスト上のメモリから複数配置されている不揮発性半導体メモリ１０２へ、または、複数配置されている不揮発性半導体メモリ１０２からホストへのデータ転送の管理を行う。
【００１４】
複数配置されている不揮発性半導体メモリ１０２へのデータの記録の管理は、制御部１０３が行い、ホスト上のデータを複数配置されている不揮発性半導体メモリ１０２へ分配して各Ｆｌａｓｈ−ＲＯＭ制御回路１０４を介して格納、管理する。
【００１５】
上記分配方法は、図２のように複数配置されている不揮発性半導体メモリ１０２が８個ある場合、ホスト機器内のデータ記憶装置２００内のデータＡ２０１を転送する場合は、メモリカード１００内の８個の不揮発性半導体メモリ１０２に各不揮発性半導体メモリで書き込み・消去管理可能な最低容量の倍数の容量であるＡ−０、Ａ−１、・・、Ａ−７の８個に分割されたデータとして記録する。また、メモリカードからホスト機器へ転送する場合は、各不揮発性半導体メモリ１０２からＦｌａｓｈ−ＲＯＭ制御回路１０４が個別にＡ−０、Ａ−１、・・・、Ａ−７を読出し、制御部１０３が１つのデータＡの固まりに戻して、ホスト機器内のデータ記憶装置２００へ転送する。
【００１６】
この記録管理方法により、特定の不揮発性メモリへのアクセスの偏りが防止可能となり、不揮発性メモリへの同時アクセス数により書き込み・読出しの速度がメモリカードで管理可能となる。
【００１７】
かかる構成によれば制御部１０３が測定温度により、同時に動作するＦｌａｓｈ−ＲＯＭ制御回路１０４の数を制御することにより、複数配置されている不揮発性半導体メモリ１０２全体の動作電流量を制御することとなりカード全体の消費電流量を制御することによりメモリカード１００の温度を管理することができる。
【００１８】
なお、本実施の形態において、温度検知装置として不揮発性半導体メモリ制御回路１０１の外に温度検知回路１０６を設けたが、メモリカード１００全体の温度が不揮発性半導体メモリ制御回路１０１内の温度により推定可能な場合は、温度検知回路１０６は不揮発性半導体メモリ制御回路１０１内に設けても良い。
【００１９】
また、本実施の形態において、不揮発性半導体メモリのアクセス状態の切替え制御を同時に動作するＦｌａｓｈ−ＲＯＭ制御回路１０４の数の管理により行っているが、制御部１０３がＦｌａｓｈ−ＲＯＭ制御回路１０４へ与えるクロックの周波数等を切替え制御することにより行ってもよい。
【００２０】
（実施の形態２）
図３は、本発明の実施の形態２のビデオカメラレコーダの構成図である。図３において、図１および図４と同じ構成要素については同じ符号を用い、説明を省略する。
【００２１】
図３において、ファン３０１はメモリカード１００を冷却する装置であり、ファン制御部３０３は、その冷却装置を制御する回路であり、カードインタフェース部３０４から入力されたメモリカード１００の温度情報によりファン３０１を制御する。
【００２２】
この装置において、カードのホストインタフェース１０５を介し、ビデオカメラレコーダ３００とメモリカード１００における、データの転送速度をビデオカメラ側から設定可能な命令を有し、メモリカード１００は、その設定速度に対応した不揮発性半導体メモリへのアクセス状態を選択する。本設定において、メモリカード１００が特定温度に達した場合、それをビデオカメラレコーダ３００にカードのホストインタフェース１０５の割込み手段などにより伝達する手順を準備する。
【００２３】
かかる構成によれば、メモリカード１００とビデオカメラレコーダ３００間で設定した速度以上のデータ転送速度が保証可能な、不揮発性半導体メモリ１０２へのアクセス状態を制御部１０３で管理した上で、メモリカード１００の温度を特定の値以下に抑えるように、ファン３０１を制御することにより、最適なデータ転送速度と低消費電力を確保した上で、作業者の安全性が確保可能となる。
【００２４】
なお、本実施の形態において、冷却制御部としてファン制御部３０３と冷却装置としてファン３０１を設け空冷としたが、冷却装置としては冷媒を用いた水冷式や、ヒートパイプなどを利用する方法もある。
【産業上の利用可能性】
【００２５】
本発明にかかる温度管理機能を有するメモリカードは、メモリカード自身とホスト機器の両方から温度管理が可能になるため、放送用画像データなどを記録するための着脱及び持ち運び可能な大容量で高速転送速度の記録メディア等としても有用である。
【図面の簡単な説明】
【００２６】
【図１】本発明の実施の形態１におけるメモリカードの構成図
【図２】本発明の実施の形態１におけるデータの管理方法を示す図
【図３】本発明の実施の形態２におけるビデオカメラレコーダの構成図
【図４】従来のメモリシステムの概略構成図
【符号の説明】
【００２７】
１００  メモリカード
１０１  不揮発性半導体メモリ制御回路
１０２  不揮発性半導体メモリ
１０３  メモリカードの全体の動作を制御する制御部
１０４  個々の不揮発性半導体メモリを管理する制御回路
１０５  ホスト機器とのインタフェース部
１０６  温度を電気的信号に変換する回路
２００  ホスト機器内のデータ記憶装置
２０１  ホスト機器のデータ記憶装置内のデータＡ
３００  ビデオカメラレコーダ
３０１  冷却ファン
３０２  ビデオカメラレコーダの制御回路
３０３  冷却ファンの制御回路
３０４  メモリカードのインタフェース部
４００  従来技術のメモリカード
４０１  従来技術のホストインタフェース部
４０２  従来技術のコントローラ
４０３  従来技術のホスト機器
４０４  従来技術の電源部
【図１】
2008269379.tif 000003
【図２】
2008269379.tif 000004
【図３】
2008269379.tif 000005
【図４】
2008269379.tif 000006